(57)【特許請求の範囲】
【請求項１】
リアルタイムプロトコルフォーマットデータを通信するように動作できるパケット無線通信システム(10)において動作できる移動ステーション(12)の更新位置で位置レジスタ(36)を更新する方法(92)であって、上記パケット無線通信システム(10)は、第１セットのセル(22)で形成された第１位置エリアと、少なくとも第２セットのセル(22)で形成された少なくとも第２位置エリアとを定義し、この第１及び少なくとも第２の位置エリアは、位置境界(32)によって各々分離され、上記方法は、
移動ステーション(12)の更新位置で位置レジスタ(36)をいつ更新すべきか決定し(94)、  上記位置レジスタ(36)をいつ更新すべきかの決定動作中に位置レジスタを更新位置で更新すべきであるという決定がなされたときに、移動ステーションの更新位置で位置レジスタ(36)を更新するためのリアルタイムプロトコルフォーマット要求(96)を発生し、
上記発生動作(48)中に発生されたリアルタイムプロトコルフォーマット要求に応答して移動ステーション(12)の更新位置で位置レジスタ(36)を選択的に更新し(98)、そして
上記更新動作中に行われた更新位置での位置レジスタの更新をリアルタイムプロトコルフォーマット確認メッセージで確認する、
という段階を含むことを特徴とする方法。
【請求項２】
上記移動ステーション(12)の更新位置での位置レジスタ(36)の更新に続いて移動ステーション(12)の以前の登録位置を除去するという付加的な動作を含む請求項１に記載の方法(92)。
【請求項３】
上記パケット無線通信システム(10)は、パケット無線ネットワークバックボーン(18)と、上記第１位置エリア及び第２位置エリアに関連した少なくとも第１ゲートキーパー(34)とを更に備え、上記位置レジスタ(36)は、上記第１ゲートキーパー(34)に関連され、そして移動ステーション(12)の上記以前の登録位置と、上記更新動作(98)中に更新される更新位置との両方が、上記第１ゲートキーパー(34)に関連した位置レジスタに記憶される請求項２に記載の方法(92)。
【請求項４】
上記パケット無線通信システム(10)は、更に、パケット無線ネットワークバックボーン(18)と、第１位置エリアに関連した第１ゲートキーパー(34)と、第２位置エリアに関連した第２ゲートキーパー(34')とを備え、上記位置レジスタは、第１ゲートキーパーに関連した第１位置レジスタ(36)と、第２ゲートキーパーに関連した第２位置レジスタ(36')とを備え、移動ステーション(12)の以前に登録された位置は、第１ゲートキーパー(34)に記憶され、そして上記更新動作(98)中に更新される更新位置は、第２ゲートキーパー(34')に記憶される請求項２に記載の方法(92)。
【請求項５】
移動ステーション(12)の以前に登録された位置を除去する上記動作は、更に、第２ゲートキーパー(34')に関連した第２位置レジスタにおいて移動ステーション(12)の位置を更新することをリアルタイムプロトコルフォーマット情報メッセージで第１ゲートキーパー(34)に通知し、そして移動ステーション(12)の以前に登録された位置を第１位置レジスタから除去することを含む請求項４に記載の方法(92)。
【請求項６】
上記位置レジスタ(36)をいつ更新すべきかの決定動作(94)は、移動ステーション(12)が位置境界(32)に交差するときを決定することを含む請求項１に記載の方法(62)。
【請求項７】
上記位置レジスタ(36)をいつ更新すべきかの決定動作(94)は、移動ステーション(12)が最初に電源オンされるときを決定することを含む請求項１に記載の方法(62)。
【請求項８】
上記位置レジスタ(36)をいつ更新すべきかの決定動作(94)は、移動ステーション(12)の位置で位置レジスタ(36)を以前に更新したのに続く時間周期を計時し、そしてその時間周期が選択されたスレッシュホールドを越えるかどうか決定することを含む請求項１に記載の方法(62)。
【請求項９】
上記要求発生動作(96)中に発生されるリアルタイムプロトコルフォーマット要求は、ＲＡＳプロトコル（登録受け入れ状態プロトコル）メッセージを含む請求項１に記載の方法(92)。
【請求項１０】
上記リアルタイムプロトコルフォーマット要求を構成するＲＡＳメッセージは、ＲＲＱ（登録要求）メッセージを含む請求項９に記載の方法(92)。
【請求項１１】
上記要求発生動作(96)中に発生されるＲＲＱメッセージは、移動ステーション（１２）によって位置レジスタの内容を更新するための要求を開始した後のものであり、そしてそのＲＲＱメッセージは、無線ゲートウェイ(16)に関連したゲートキーパー(34)に対する移動ステーション(12)の動作関連においてその無線ゲートウェイ(16)により発生される請求項１０に記載の方法(92)。
【請求項１２】
上記リアルタイムプロトコルフォーマット確認メッセージで確認する動作は、ＲＡＳプロトコルメッセージをゲートキーパー(34)に返送することを含む請求項１１に記載の方法(92)。
【請求項１３】
上記ＲＡＳプロトコルメッセージは、ＲＣＦ（登録確認）メッセージを含む請求項１２に記載の方法(92)。
【請求項１４】
上記ＲＣＦメッセージは、移動ステーションを識別するための認識エイリアスフィールドを含み、そして移動ステーションは、認識エイリアスフィールドにおいて一時的な識別子で識別される請求項１３に記載の方法(92)。
【請求項１５】
上記確認動作は、更に、位置更新受け入れをゲートキーパーから移動ステーションへ送信することを含む請求項１２に記載の方法(92)。
【請求項１６】
Ｈ．３２３プロトコルに準じてフォーマットされたフレームフォーマットデータがパケット無線通信システムの動作中に通信され、そして上記発生動作中に発生される要求は、Ｈ．３２３プロトコルフォーマットメッセージを含む請求項１に記載の方法(92)。
【請求項１７】
上記確認動作は、Ｈ．３２３プロトコルメッセージを発生することを含む請求項１６に記載の方法(92)。
【請求項１８】
リアルタイムプロトコルフォーマットデータを通信するように動作できるパケット無線通信システム(10)であって、第１セットのセル(22)で形成された第１位置エリアと、少なくとも第２セットのセル(22)で形成された少なくとも第２位置エリアが定義され、これらの第１及び第２の位置エリアは、位置境界(32)により各々分離され、そして移動ステーション(12)が通信システム内で通信するように動作できるパケット無線通信システムにおいて、
移動ステーション(12)の更新位置で位置レジスタ(36)を更新するための組立品を備え、この組立品は、
移動ステーション(12)の更新位置で位置レジスタ(36)を更新するリアルタイムプロトコルフォーマット要求の指示を受け取るよう接続された位置レジスタ更新要求検出器(16)と、
上記位置レジスタ更新要求検出器に接続されて、移動ステーション(12)の更新位置で位置レジスタ(36)を更新するＲＡＳプロトコル更新要求を発生するための位置レジスタ更新要求発生器(16)と、
を備えたことを特徴とするパケット無線通信システム。
【請求項１９】
上記パケット無線通信システム(10)は、パケットネットワーク(18)及び少なくとも第１のゲートキーパー(34)を備え、そして上記位置レジスタ更新要求検出器及び上記位置レジスタ更新要求発生器は、上記ゲートキーパーに配置される請求項１８に記載のパケット無線通信システム。
【請求項２０】
上記ゲートキーパー(34)に配置された登録更新確認発生器を更に備え、この登録更新確認発生器は、位置レジスタ(36)の更新を確認するリアルタイムプロトコルフォーマット確認メッセージを発生する請求項１９に記載のパケット無線通信システム。
【発明の詳細な説明】
【０００１】
【技術分野】
本発明は、一般に、移動パケット無線通信システムにおいてＨ．３２３のようなＲＴＰ（リアルタイム送信プロトコル）に準じてフォーマットされた媒体データのようなリアルタイム媒体の通信に係る。より詳細には、本発明は、通信システムにおいて動作できる移動ステーションの更新位置で位置レジスタを更新するための装置及び方法に係る。本発明の実施形態の動作は、移動パケット無線通信システムにおいてＲＴＰデータを通信するように動作できる移動ステーションの位置情報の正確な登録を維持するための方法を提供する。
【０００２】
【背景技術】
通信技術の進歩は、新規な形式の通信システムの導入及び普及と、既存の通信システムの改善を許した。このような新規な又は改善された通信システムの使用により、益々大量のデータを益々高いスループットレートで通信できるようになった。このような改善の結果として、高いデータスループットレートを必要とする新規な形式の通信が可能となった。例えば、デジタル通信技術は、デジタルデータを効率的に通信するために通信システムに次第に利用され、そしてこのような技術の利用が高いデータスループットレートを容易にした。
【０００３】
デジタル通信技術が使用されるときには、通信されるべき情報がデジタル化される。１つの技術においては、デジタル化された情報がパケット又はフレームにフォーマットされ、そしていったんフォーマットされると、データは通信チャンネルにおいて通信され、行先へ送信される。データパケット又はフレームの個々の１つ又はグループを別々の間隔で通信し、そして通信されると、一緒に連結して、そこに含まれた情報内容を再形成することができる。
【０００４】
このようにフィーマットされたデータは、個別の間隔で通信できるので、回路交換通信において従来必要とされたように、通信チャンネルを、１つの送信ステーションによって発生されたデータを１つの受信ステーションへ通信するだけの専用とする必要はない。むしろ、複数の異なる送信及び受信ステーション対の間で単一のチャンネルを共用することができる。通信ステーションの複数の対により通信を行うように単一のチャンネルを使用できるので、改良された通信容量が可能となる。
【０００５】
又、デジタル通信技術を使用することにより、非常に多数の異なる形式のデータのいずれを通信することもできる。そして、マルチメディアアプリケーションにおいて２つ以上の形式のデータを通信することができる。しかしながら、異なる形式のデータは、異なる通信要件を示す。例えば、音声データは、リアルタイムで通信されねばならない。即ち、音声データは、著しい遅延を伴わずに通信されねばならず、そして最小限の時間歪しか導入しないやり方で受信ステーションにおいて再構成できるように通信されねばならない。さもなければ、音声データは、著しく歪んでしまうことになる。
【０００６】
インターネット技術は、デジタル通信技術を用いて実行できる通信の一例である。インターネット及びそれに基づく通信が普及するのに伴い、インターネットによる通信に従う形態で情報を通信するための標準化されたプロトコルが提案されている。このプロトコルの一例は、Ｈ．３２３である。このＨ．３２３は、ＲＴＰ（リアルタイム送信プロトコル）を使用する広範囲に利用されているＩＴＵ規格である。
【０００７】
Ｈ．３２３プロトコルによれば、送信ステーションによりデータを送信すべきときに、データを送信するための論理的チャンネルが指定される。データチャンネルは、送信ステーションによって発せられる要求に応答して割り当てられる。別々の形式のデータに対して別々の論理的チャンネルが必要とされる。例えば、音声データを送信するための第１論理チャンネルが要求され、そして非音声データを送信するために第２論理チャンネルの割り当てが要求される。Ｈ．２４５プロトコルと称されるＨ．３２３プロトコルのサブセットは、チャンネルを要求する仕方を定義する。データは、その後、論理チャンネルに送信される。従来のやり方では、個々のパケット又はフレームは、パケットをどこに向けるか識別すると共にパケットにタイムスタンプを与えるためのＩＰ、ＵＤＰ及びＲＴＰ情報のようなヘッダ情報を含む。ペイロードと称する情報内容がヘッダ情報に添付される。
【０００８】
Ｈ．３２３プロトコルは、最初は、インターネットのものを含むワイヤライン接続により接続される通信ステーション間のようなワイヤライン通信に意図されていた。しかし、通信技術の進歩に伴い、無線通信システムも広く利用できるようになった。セルラー通信システムは、広いレベルの普及及び利用を達成したワイヤレス通信システムの一例である。セルラー通信システムによる電話通信は、従来のワイヤライン電話システムによる通信に類似している。しかしながら、Ｈ．３２３又は他のＲＴＰプロトコルに準じてフォーマットされたデータのようなパケット又はフレームフォーマットデータがセルラー通信システムにより通信されるときに問題が生じる。
【０００９】
例えば、Ｈ．３２３プロトコルに関連した規格は、Ｈ．３２３をベースとする通信システムにおいて動作できる移動ステーションのための移動を遂行する方法を規定するものではない。Ｈ．３２３をベースとするシステムにおいて通信セッションに準じて動作できる送信ステーションと受信ステーションとの間でデータフレームを効率的にルーティングするためには、移動ステーションの位置に関連した更新された位置情報を位置レジスタに維持することが要求される。
それ故、Ｈ．３２３ベースの又は他のＲＴＰ形式の無線通信システムにおいて位置レジスタの更新を与える方法があれば、好都合である。
無線通信に関するこの背景情報に鑑み、本発明の顕著な改善が展開された。
【００１０】
【発明の開示】
従って、本発明は、Ｈ．３２３ベースの、又は他のＲＴＰベースの無線通信システムの位置レジスタを更新するための装置及び関連方法を効果的に提供する。本発明の実施形態の動作において、位置レジスタは、ＲＴＰベースのシステムのネットワークに定義されたゲートキーパーによりアクセスすることができる。このシステムにおいて動作し得る移動ステーションが、位置エリアを分離している境界を横切るときに、そのように横切るという指示がゲートキーパーに与えられる。この指示は、移動ステーションの位置に関する更新された位置情報と共に、位置レジスタの内容を更新するための要求に準じてゲートキーパーに与えられる。要求が許可された場合には、移動ステーションの更新された位置が位置レジスタに登録され、そして移動ステーションの以前に登録された位置が位置レジスタから除去される。移動ステーションの登録位置を更新するための要求は、移動ステーションのパワーアップ時に行われると共に、例えば、移動ステーションによりタイミングどりされた時間間隔でも行われる。
【００１１】
１つの態様において、本発明の実施形態は、移動ステーションがインターネット電話アプリケーションに準じたＨ．３２３フォーマットデータを通信するよう動作するＨ．３２３ベースのシステムにおいて動作することができる。Ｈ．３２３ベースシステムのパケットネットワークは、無線アクセスゲートウェイ（ＲＡＧＷ）を備えている。各ＲＡＧＷは、ベーストランシーバステーション（ＢＴＳ）と、Ｈ．３２３システムへと延びるゲートウェイ部分とで形成される。移動ステーションに与えられた移動性のために、移動ステーションは、１つのＲＡＧＷから別のＲＡＧＷへ通信のハンドオーバーが行われるように移動できる。そして移動ターミナルは、インアクティブ状態のときに別のＲＡＧＷに関連して再配置されるように移動する。ソース無線ゲートウェイと称される第１無線ゲートウェイが、ターゲットゲートウェイと称される第２無線ゲートウェイとは異なる位置エリア（ＬＡ）の部分である場合に、移動ステーションの新たな位置は、本発明の実施形態の動作により、位置レジスタにおいて更新される。移動ステーションの更新された位置の登録は、付加的な登録プロセスにより実行される。
【００１２】
本発明の１つの特徴においては、ゲートキーパーがＨ．３２３ネットワークに関連される。移動ステーションは、位置更新要求を発生することにより位置更新手順を開始する。この要求は、例えば、移動ステーションが１つの位置エリアから別の位置エリアへ再配置されるときに発生される。又、この要求は、移動ステーションの最初のパワーアップ中及びある時間間隔でも発生される。この要求は、移動ステーションと無線ゲートウェイとの間に形成された無線リンクを経て送信される。次いで、受信側無線ゲートウェイは、ＲＡＳプロトコル（登録、受け入れ、状態プロトコル）メッセージを発生し、これは、Ｈ．３２３ネットワークを経てゲートキーパーへルーティングされる。ゲートキーパーにおいて位置レジスタを更新すべきかどうかの決定がなされる。位置レジスタを更新すべきであるという決定がなされた場合には、レジスタが移動ステーションの更新位置で更新され、そして移動ステーションの以前の記憶位置が位置レジスタから除去される。位置レジスタの更新を確認するために、別のＲＡＳプロトコルメッセージがゲートキーパーにより無線ゲートウェイに返送される。次いで、無線ゲートウェイは、位置更新受け入れメッセージを移動ステーションに返送する。
【００１３】
又、移動ステーションは、ソース無線ゲートウェイに関連したゲートキーパー以外のゲートキーパーに関連したターゲット無線ゲートウェイに再配置されてもよい。この場合も、移動ステーションは、位置更新要求を発生し、これは、無線リンクを経てターゲット無線ゲートウェイに送信される。そしてターゲット無線ゲートウェイは、ＲＡＳプロトコルメッセージを発生し、これは、Ｈ．３２３ネットワークを経て、ターゲット無線ゲートウェイに関連したゲートキーパーへルーティングされる。ゲートキーパーにおいて位置レジスタを更新すべきかどうかの決定がなされる。位置レジスタを更新すべきという決定がなされた場合には、移動ステーションの更新位置がそこに記憶され、そして確認メッセージ、この場合も、ＲＡＳプロトコルメッセージが、ターゲット無線ゲートウェイへ返送される。又、移動ステーションの以前に記憶された位置は、更新位置が記憶されるゲートキーパー以外のゲートキーパーに記憶されているので、その以前に記憶された位置に関連したゲートキーパーには、第２のゲートキーパーに関連した位置レジスタにおける新たな登録が通知される。
【００１４】
それ故、本発明の実施形態の動作により、Ｈ．３２３ベースの又は他のＲＴＰベースの通信システムにおいて移動性を与えるための方法が提供される。又、例えば、移動ステーションが通信システムに定義された位置エリア間を移動するときに、移動ステーションの更新位置で位置レジスタを更新するための方法が提供される。
【００１５】
それ故、これら及び他の特徴において、パケット無線通信システムで動作できる移動ステーションの更新位置で位置レジスタを更新する装置及び関連方法が提供される。このシステムは、少なくとも、リアルタイムプロトコルフォーマットデータを通信するように動作する。このパケット無線通信システムは、第１セットのセルで形成された第１位置エリアと、少なくとも第２セットのセルで形成された少なくとも第２位置エリアとを定義する。この第１及び少なくとも第２の位置エリアは、位置境界によって分離される。移動ステーションの更新位置で位置レジスタをいつ更新すべきかの決定がなされる。位置レジスタを更新位置で更新すべきであるという決定がなされたときに、移動ターミナルの更新位置で位置レジスタを更新するためのリアルタイムプロトコルフォーマット要求がを発生される。位置レジスタを更新するためのリアルタイムプロトコルフォーマット要求が受け入れられた場合には、移動ステーションの更新位置で位置レジスタが更新される。そしてその後、更新位置での位置レジスタの更新が、リアルタイムプロトコルフォーマットメッセージで確認される。
【００１６】
【発明を実施するための最良の形態】
以下、添付図面を参照し、本発明の好ましい実施形態を詳細に説明する。
先ず、図１を参照すれば、１０で一般的に示された通信システムは、移動ステーション１２が一例であるところの移動ステーションとフレームフォーマットデータ、ここではＨ．３２３フォーマットデータの通信を行う。この通信システムは、無線部分及びワイヤライン部分を備え、各々フレームフォーマットデータを通信することができる。ここに示す例では、無線通信システムの無線部分は、ＧＳＭ（移動通信用のグローバルシステム）通信システムで形成され、そしてワイヤライン部分は、インターネットネットワークを含む。他の例では、通信システムの無線及びワイヤライン部分が、他のシステムにより定義された構造体で形成され、本発明の実施形態は、そこでも同様に動作し得る。
【００１７】
移動ステーション１２、及び通信システムにおいて動作し得る他の移動ステーションは、例えば、上記ＧＳＭシステムにおいて動作し得るセルラーターミナルと、Ｈ．３２３フォーマットデータを発生するラップトップコンピュータ等とで形成される。インターネット電話は、本発明の実施形態の動作中に移動ステーションが使用されるアプリケーションの一例である。移動ステーション１２は、その後の時間に１２’で示すその後の位置に配置されるように、矢印１４で示された方向に移動することができる。
移動ステーションは、アップリンク及びダウンリンクの両チャンネルが定義された無線リンク１５によって通信することができる。この通信は、移動ステーションと無線ゲートウェイ（ＲＡＧＷ）１６との間で行われる。別々に示されていないが、無線ゲートウェイ１６は、ベーストランシーバステーションと、ネットワーク部分、ここではＨ．３２３ネットワーク１８へのゲートウェイとで形成される。
【００１８】
従来のやり方で、無線ゲートウェイのベーストランシーバステーションがセルを定義し、ここでは、無線ゲートウェイ１６がセル２２を定義する。無線ゲートウェイのグループ及びそれに関連したセルが位置エリアを定義する。セル２２は、ここでは、第１位置エリア（ＬＡ１）の一部分を形成するように示されたセルである。そして、図示されていないが、１つのＲＡＧＷが多数のセルを取り扱うことができる。
通信システム１０は、更に、付加的な無線ゲートウェイ２６を含むように示されている。ここでも別々に示されていないが、無線ゲートウェイ２６は、通信システムの無線部分のベーストランシーバステーション及び他のネットワークインフラストラクチャーと、Ｈ．３２３ネットワーク１８へのゲートウェイとで形成される。又、無線ゲートウェイ２６も、セル、ここではセル２８を定義する。無線ゲートウェイのグループと、それに関連したセルが、位置エリアを形成する。ここでは、無線ゲートウェイ２６に関連したセル２８は、第２位置エリア（ＬＡ２）の一部分を形成する。セル２２と２８との間には位置エリア境界３２が延びている。移動ターミナル１２が矢印１４の方向に移動し、その後に１２’に位置するときには、移動ターミナルは、第１位置エリアから第２位置エリアへ通過する。
【００１９】
図示されたように、ゲートキーパー３４が無線ゲートウェイ１６及び２６の両方に関連される。ゲートキーパー３４は、位置レジスタ３６にアクセスすることができる。位置レジスタは、例えば、ゲートキーパー３４において実施されてもよい。又、位置レジスタは、ネットワーク１８により動作できる移動ターミナルが存在する位置の登録を維持する。位置レジスタに入れられた正確な位置情報は通信システムにおける通信を容易にする。
本発明の実施形態の動作は、移動ステーションの位置情報で位置レジスタの更新を容易に行う方法を与える。移動ステーションの更新された位置情報を位置レジスタに与えることにより、通信システムにおける通信効率が容易に得られる。
【００２０】
又、Ｈ．３２３ネットワーク１８は、移動ネットワークゲートウェイ（ＭＮＧＷ）４２によりＰＬＭＮ（公衆地上移動ネットワーク）３８に接続されるように示されている。移動ネットワークゲートウェイ４２もゲートキーパー３４に関連される。
動作中に、ゲートウェイ１６、２６又は４２の１つを経て通信する前に、各ゲートウェイによってゲートウェイの各１つのゲートキーパーへ登録がなされる。最初の登録中には、通常の登録プロセスが使用され、そしてエンドポイント、即ち移動ステーション１２のような通信ステーションは、エンドポイントのオペレーションの種々の特徴、例えば、それらの各シグナリング搬送アドレスに関してゲートキーパー３４に通知する。ＲＡＳ（登録、受け入れ、状態プロトコル）及びＱ．９３１は、シグナリング搬送アドレスの一例である。
【００２１】
移動ステーション１２は、例えば、それが、１２’で示されるように、セル２８に位置すべく位置境界３２を横切るときに、位置レジスタの内容を更新するための要求を開始する。線４８で示された位置更新要求は、移動ステーションにより無線ゲートウェイ２６へ送信される。次いで、無線ゲートウェイは、線５２で示すＲＲＱ（登録要求）メッセージを発生し、これはゲートキーパー３４へ転送される。要求５２の検出に応答して、移動ステーションの更新位置で位置レジスタの内容を更新すべきかどうかの決定がなされる。その要求が許可された場合には、位置レジスタの内容が更新され、そしてゲートキーパーは、ＲＣＦ（登録確認メッセージ）をゲートウェイ２６に返送する。これにより、位置レジスタの登録が更新され、そして位置レジスタが更新されたという確認がゲートウェイ２６に与えられる。その後に、セグメント５６で示すように、新たな更新された位置情報が位置レジスタに登録されたという指示が移動ステーションに送信される。
【００２２】
図２は、６２で一般的に示されたシーケンス図で、本発明の実施形態の動作中における移動ステーション１２とゲートウェイ２６とゲートキーパー３４とゲートウェイ４２との間のシグナリングを示している。上述したように、移動ステーション１２は、位置更新手順を開始する。１つの実施例において、上述したように、移動ステーションがあるセルから別のセルへの位置エリア境界を横切るときに位置更新が要求される。又、移動ステーションが最初にパワーオンするときにも位置更新要求が発生される。そして、ある時間間隔で、例えば、移動ステーションにおいてタイマーが時間切れしたときにも、位置更新要求が発生される。
【００２３】
これらのいずれかの理由で、位置更新要求４８が移動ステーションにより発生されて無線ゲートウェイ２６への無線リンクに送信される。位置更新要求は、ユーザ即ちターミナル認識情報を含み、無線ゲートウェイは、この情報をメッセージから抽出してＲＲＱメッセージ５２を形成し、これがゲートキーパー３４へ転送される。ＲＲＱメッセージは、論理的「真」値にセットされる付加的登録フィールドと、ユーザターミナル認識情報が挿入されるターミナルエイリアスフィールドとを含む。又、ＲＲＱメッセージは、移動ステーションからのオリジナルメッセージを含んでもよく、或いは対応する移動ネットワークメッセージがＲＲＱメッセージに含まれる。
【００２４】
ゲートキーパー３４は、もし適当であれば、ＰＬＭＮ３８に移動ネットワークゲートウェイ４２により位置更新を通知する。その後、ＰＬＭＮ３８と移動ステーション１２との間に幾つかのＰＬＭＮ特有のシグナリングが発生する。ブロック６４で示されたこのシグナリングは、例えば、ＲＡＳ又はＱ．９３１メッセージにより、ゲートウェイ４２とゲートキーパー３４と当該ゲートウェイ２６との間に搬送される。
位置レジスタの更新を拒絶する理由が見つからない場合には、ゲートキーパーは、ＲＣＦメッセージ５４をゲートウェイ２６に送信する。
【００２５】
又、ＲＣＦメッセージ５４は、論理的「真」レベルにセットされる付加的登録フィールドを含み、そしてターミナルエイリアスフィールドには、ユーザ又はターミナル認識が挿入される。又、任意であるが、移動ネットワークメッセージもＲＣＦメッセージの一部分を形成し、位置更新の受け入れを指示する。ＲＣＦメッセージに含まれるユーザターミナル認識は一時的な認識でよく、この一時的な認識は、移動ステーションとＰＬＭＮ３８との間のシグナリング中に変更可能である。従って、ＲＣＦメッセージにおける移動ステーションの認識は、同じ移動ステーションを識別しながら、ＲＲＱメッセージ５２に含まれた移動ステーションの認識と異なってもよい。ＲＣＦメッセージ５４における移動ステーションの認識は、移動ステーションの認識としてゲートキーパー３４に登録されねばならない。しかしながら、位置更新を拒絶する理由が見つかった場合には、ゲートキーパーは、ＲＲＪメッセージ（登録拒絶メッセージ）を無線ゲートウェイ２６に送信し、該ゲートウェイは、次いで、位置更新要求が拒絶されたことを移動ステーションに通知する。図中、信号５４及び５６の適当な代替信号に置き換えられる。
【００２６】
ＲＣＦメッセージ５４の発生に続いて、図中ブロック６８で示された移動ステーションとＰＬＭＮとの間での幾つかのＰＬＭＮ特有メッセージの付加的な交換が行われる。又、移動ステーションの更新位置の登録に続いて、移動ステーションの以前の登録及び位置情報がシステムから除去される。
個別に示されていないが、ゲートウェイ１６及び２６と同様の多数の無線ゲートウェイが同じ位置エリアに属することがあり、移動ステーションは、位置エリアが変化しない場合には、移動ステーションがアタッチされた無線ゲートウェイが変化した場合でも、新たな位置更新要求を開始してはならない。その結果、ゲートキーパー３４は、移動ステーションへのコールが確立されてそのコールを正しい無線ゲートウェイに向けることができるときに、位置エリアにおいて全ての無線ゲートウェイをページングしなければならない。同じ理由で、無線ゲートウェイは、位置更新要求を実行した移動ステーションの記録を保持しない。むしろ、無線ゲートウェイは、位置エリア内の移動ターミナルへのコールが発信されたことをゲートキーパーがゲートウェイに通知するときにページング手順を実行しなければならない。上述したように、位置レジスタにおける移動ステーションの更新位置情報の更新に続いて、古い位置情報をシステムから除去しなければならない。図１ないし２に示す筋書きでは、ゲートキーパーは、位置更新中に移動ステーションを識別し、そして位置情報を除去する。
【００２７】
図３は、図１に示された通信システムに一般的に対応する通信システム１０を示す。図１に既に示された要素が図３にも共通に示されている。このような要素の機能の説明は、図１の上記説明に見ることができる。図３に示す通信システム１０が、図１に示す通信システムと機能構造的に相違する点は、第１ゲートキーパー３４が無線ゲートウェイ１６に関連され、そして第２ゲートキーパー３４’がゲートウェイ２６に関連されることである。ゲートキーパー３４は、この場合も、位置レジスタ３６に関連される。ここでは、個別の位置レジスタ３６’がゲートキーパー３４’に関連される。
【００２８】
移動ステーションが、ここでもセグメント４８で示された位置更新要求を開始するときには、その要求が無線ゲートウェイ２６に送信される。ゲートウェイ２６は、次いで、ＲＲＱメッセージ５２を発生し、これは、ゲートウェイ２６に関連したゲートキーパー３４’へ転送される。移動ステーションの更新位置情報で位置レジスタを更新しなければならないと決定された場合には、ゲートキーパーが、それに関連した位置レジスタ３６’との更新を実行する。ＲＣＦメッセージ５４が無線ゲートウェイ２６に返送され、そしてその後、確認指示５６が移動ステーションに与えられる。
【００２９】
ここで、移動ステーションに関連した古い位置情報は、位置レジスタ３６’に記憶されず、ゲートキーパー３４’は、古い位置情報を直接除去することができない。むしろ、古い情報を除去するために、ゲートキーパー３４’は、位置レジスタ３６’における移動ステーションの位置情報の更新をゲートキーパー３４に通知しなければならない。セグメント７８は、ゲートキーパー３４’によるゲートキーパー３４へのこのような指示の転送を示している。その後、ゲートキーパー３４は、移動ステーションの古い位置情報を位置レジスタ３６から除去する。図４は、移動ステーションの更新位置情報で位置レジスタの内容を更新するための本発明の実施形態の動作を示すメッセージシーケンス図８２である。
【００３０】
メッセージシーケンス８２の上部は、図２に示すメッセージシーケンス６２に対応し、ここでは再び説明しない。即ち、メッセージ４８、５２、６４、５４、５６及び６８は、図２を参照して説明したメッセージシーケンスに対応する。
しかしながら、ソースゲートウェイ１６及びターゲットゲートウェイ２６には異なるゲートキーパーが関連されるので、ゲートキーパー３４’がゲートキーパー３４にレジスタの更新を通知するために付加的なシグナリングが必要となる。ここでは、メッセージシーケンスは、ゲートキーパー３４’からゲートキーパー３４へ転送されるメッセージ７８を更に含むように示されている。このメッセージは、ここでは、ＵＲＱメッセージ（非登録要求メッセージ）として示される。ゲートキーパーは、古い位置情報の除去を実行し、そしてメッセージ８２、ここではＵＣＦメッセージ（非登録確認メッセージ）をゲートキーパー３４’に返送する。
【００３１】
ゲートキーパー３４’は、移動ステーションがＲＲＱメッセージ５２の要求４８において無線ゲートウェイ２６を経て送信するユーザ／ターミナル認識を記憶しなければならない。このような認識は、それが位置更新中に変化し得るので記憶されねばならず、そして古い認識を使用して、正しい移動ステーションをゲートキーパー３４に指示しなければならない。
図５は、本発明の実施形態による方法を９２で一般的に示している。この方法は、例えば、移動ステーションが第１位置エリアから第２位置エリアへ移動するときに移動ステーションの更新位置で位置レジスタを更新する。
【００３２】
先ず、ブロック９４で示すように、移動ステーションの更新位置を位置レジスタにおいて更新しなければならないときを決定する。次いで、ブロック９６で示すように、移動ステーションの更新位置で位置レジスタを更新するための要求が発生される。
次いで、ブロック９８で示すように、位置レジスタが移動ステーションの更新位置で更新される。そしてブロック１００で示すように、更新位置での位置レジスタの更新が確認される。
従って、Ｈ．３２３ベースの、又は他のＲＴＰベースの無線通信システムにおいて移動ステーションの移動を改善するための方法が提供された。通信システムの改善された通信性能は、本発明の実施形態の動作を介して作用し得る。
以上、本発明の好ましい実施形態を詳細に説明したが、本発明の範囲は、これに限定されず、特許請求の範囲によってのみ限定される。
【図面の簡単な説明】
【図１】  本発明の実施形態が動作し得る通信システムの機能的ブロック図である。
【図２】  本発明の実施形態の動作中に発生されるメッセージのシーケンスを示すメッセージシーケンス図である。
【図３】  本発明の実施形態が動作し得る通信システムの図１と同様の機能的ブロック図である。
【図４】  本発明の別の実施形態において発生されるメッセージのシーケンスを示すメッセージシーケンス図である。
【図５】  本発明の実施形態の動作方法を示す方法フローチャートである。
【図１】
0004584520.tif 000002
【図２】
0004584520.tif 000003
【図３】
0004584520.tif 000004
【図４Ａ】
0004584520.tif 000005
【図４Ｂ】
0004584520.tif 000006
【図５】
0004584520.tif 000007